(57)【特許請求の範囲】
【請求項１】
モバイル通信システムにおいて無線測定を獲得する方法であって、
無線アクセス・ノード（ｅＮＢＡ）によって操作され、特定のユーザ機器（ＵＥＸ）にサービスするサービング・セル（Ａ）内で、前記無線アクセス・ノードから前記特定のユーザ機器に測定制御情報（ｍｅａｓ＿ｃｔｒｌ＿ｉｎｆｏ）を送信するステップであって、それによって前記特定のユーザ機器が無線測定を実行するように構成される、ステップと、
追加無線アクセス・ノード（ｅＮＢＢ）によって操作され、続いて前記特定のユーザ機器にサービスする追加サービング・セル（Ｂ）内で、前記サービング・セルによって構成されるものとしての測定データ（ｍｅａｓ＿ｄａｔａ）および前記サービング・セルのセル識別子（ＰＣＩＡ）を備える測定報告（ｍｅａｓ＿ｒｅｐｏｒｔ）を、前記特定のユーザ機器から前記追加無線アクセス・ノードへ送信するステップと、
前記測定データを前記追加無線アクセス・ノードから前記無線アクセス・ノードに転送して戻すステップとを含む、方法。
【請求項２】
前記セル識別子が前記サービング・セルの物理セル識別子を備える、請求項１に記載の方法。
【請求項３】
前記セル識別子が前記サービング・セルのグローバル・セル識別子および前記サービング・セルの追跡区域識別子を備える、請求項１に記載の方法。
【請求項４】
前記サービング・セルが特定のモバイル通信サービスを前記特定のユーザ機器に提供し、前記追加サービング・セルが前記特定のユーザ機器との前記特定の通信サービスを引き継ぐ、請求項１乃至３のいずれか１項に記載の方法。
【請求項５】
前記サービング・セル内において、
目標セルへのハンドオーバ条件が前記特定のユーザ機器について満たされていることを検出するステップと、
前記目標セルを起こりうるホット・スポットとして識別するステップと、
前記目標セルを起こりうるホット・スポットとして識別した場合、前記測定制御情報を送信するステップとをさらに含む、請求項１乃至４のいずれか１項に記載の方法。
【請求項６】
前記測定データが時間記録として編成される、請求項１乃至５のいずれか１項に記載の方法。
【請求項７】
前記測定制御情報が報告期間（Ｔ２）を備え、前記測定報告が前記報告期間の満了時に送信される、請求項１乃至６のいずれか１項に記載の方法。
【請求項８】
ハンドオーバ決定アルゴリズムを自己調整するための前記測定データを使用するステップをさらに含む、請求項１乃至７のいずれか１項に記載の方法。
【請求項９】
前記測定データが、現在のサービング・セルのおよび１つまたは複数の隣接するセルの信号強度を備える、請求項１乃至８のいずれか１項に記載の方法。
【請求項１０】
前記測定データが現在のサービング・セルのおよび１つまたは複数の隣接するセルの信号品質を備える、請求項１乃至９のいずれか１項に記載の方法。
【請求項１１】
モバイル通信システムの部分を形成するように動作可能なユーザ機器（ＵＥＸ）であって、
無線アクセス・ノード（ｅＮＢＡ）によって操作されるサービング・セル（Ａ）内で、前記無線アクセス・ノードから測定制御情報（ｍｅａｓ＿ｃｔｒｌ＿ｉｎｆｏ）を受信し、それによって前記ユーザ機器が無線測定を実行するように構成されることと、
追加無線アクセス・ノード（ｅＮＢＢ）によって操作される追加サービング・セル（Ｂ）内で、前記サービング・セル内で構成される測定データ（ｍｅａｓ＿ｄａｔａ）および前記サービング・セルのセル識別子（ＰＣＩＡ）を備える測定報告（ｍｅａｓ＿ｒｅｐｏｒｔ）を前記追加無線アクセス・ノードに送信して、前記測定データを前記追加無線アクセス・ノードから前記無線アクセス・ノードに転送して戻すことができるようにすることと
を行うようになされた、ユーザ機器。
【請求項１２】
モバイル通信システムの部分を形成するように動作可能な無線アクセス・ノード（ｅＮＢＢ）であって、
特定のユーザ機器（ＵＥＸ）にサービスするサービング・セル（Ｂ）を操作することと、
追加サービング・セル（Ａ）内で構成される測定データ（ｍｅａｓ＿ｄａｔａ）および前記追加サービング・セルのセル識別子（ＰＣＩＡ）を備える前記特定のユーザ機器からの測定報告（ｍｅａｓ＿ｒｅｐｏｒｔ）を受信することと、
前記無線アクセス・ノードから、前記追加サービング・セルを操作する追加無線アクセス・ノード（ｅＮＢＡ）に前記測定データを転送して戻すことと
を行うようになされた、無線アクセス・ノード。
【発明の詳細な説明】
【技術分野】
【０００１】
本発明は、モバイル通信システムにおいて無線測定を獲得する方法に関する。
【背景技術】
【０００２】
第３世代パートナーシップ・プロジェクト（３ＧＰＰ）ロング・ターム・エボリューション（ＬＴＥ）モバイル・ネットワークでは、しばしば、位相特性により別の（周囲の）セルの通達範囲内で非常に限られたより低い経路損失を提供する不要な小さな通達範囲の島（隣接するセルからのオーバシューティングなど）、いわゆる「ホット・スポット」、が存在する。ホット・スポットへと移動しているユーザ機器（ＵＥ）は、必要なハンドオーバ条件が満たされ、構成されたハンドオーバ事象がＵＥによって報告されるときに、そのホット・スポットに向けてハンドオーバを実行するようにサービング・セル（ｓｅｒｖｉｎｇ  ｃｅｌｌ）によって命令される。
【０００３】
ハンドオーバは、Ｘ２またはＳ１インタフェースを介するＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ＮｏｄｅＢ（ｅＮＢ）の間の、および電波インタフェースを介するＵＥおよびｅＮＢの間の相当量の信号伝達を必要とする。現在のサービング・セルの入手可能な信号品質がホット・スポット区域内でまだ十分によい場合、即ち、たとえホット・スポットがよりよい無線品質を提供しても、１つまたは複数の要求されるサービスが現在のサービング・セルによってなおサポートされることができる場合、不要なホット・スポットへのハンドオーバは回避されるべきである。
【０００４】
ハンドオーバおよび無線リンク故障率は、ハンドオーバ指標の自己最適化によって、または不適切なセルへのハンドオーバの回避によって、最小化されよう。
【０００５】
ホット・スポットへのハンドオーバを分析すること、および不必要なハンドオーバを阻止することは、ＬＴＥのような効率的なモバイル・ネットワークの任務である。３ＧＰＰ  ＵＭＴＳ、３ＧＰＰ２  ＣＤＭＡ２０００、またはＩＥＥＥ  ８０２．１６（ＷＩＭＡＸ）ネットワークのような現在のワイヤレス・システムでは、これは費用のかかるドライブ・テストを介して達成される。ＬＴＥでは、これは自己管理ネットワーク（ＳＯＮ）を用いて自動的に実行されることになる。
【０００６】
３ＧＰＰ無線アクセス・ネットワーク（ＲＡＮ）作業グループ２（ＷＧ２）は現在、ドライブ・テスト最小化のためのＵＥ測定を調査している。これらの測定は、追加処理のために、ｅＮＢに、ならびに／または運用および保守センタ（Ｏ＆Ｍ）に送信されることになる。ハンドオーバ指標の自己最適化は現在、特に報告されるＵＥ測定に基づき得る、３ＧＰＰ  ＲＡＮ  ＷＧ３において検討中である。
【発明の概要】
【発明が解決しようとする課題】
【０００７】
本発明の目的は、ホット・スポットへの不必要なハンドオーバを回避するために、ＵＥ測定の獲得を機能強化することである。
【課題を解決するための手段】
【０００８】
本発明の第１の態様によれば、モバイル通信システムにおいて無線測定を獲得する方法は、
−  無線アクセス・ノードによって操作され、特定のユーザ機器にサービスするサービング・セル内で、前記無線アクセス・ノードから前記特定のユーザ機器に測定制御情報を送信するステップであって、それによって前記特定のユーザ機器が無線測定を実行するように構成されるステップと、
−  追加無線アクセス・ノードによって操作され、続いて前記特定のユーザ機器にサービスする追加サービング・セル内で、前記サービング・セルによって構成されるものとしての測定データおよび前記サービング・セルのセル識別子を備える測定報告を、前記特定のユーザ機器から前記追加無線アクセス・ノードへ送信するステップと、
−  前記測定データを前記追加無線アクセス・ノードから前記無線アクセス・ノードに転送して戻すステップとを備える。
【０００９】
第１のｅＮＢによって操作され、そしてさらに測定トリガ・セルと呼ばれる第１のサービング・セル内で、個々のＵＥは、ある期間について無線測定を実行するように構成される。その期間が経過するとき、ＵＥは、同じｅＮＢまたはサービング・セルがその間に変わった場合には別のｅＮＢによって操作される別のセルでもよい、そしてさらに測定報告セルと呼ばれる、現在のサービング・セルへとその測定データを報告する。ＵＥはさらに、測定報告セルを操作するｅＮＢが測定トリガ・セルを操作するｅＮＢに測定データを転送して戻すことができるように、測定トリガ・セルのセル識別子を測定報告内に符号化する。
【００１０】
したがって、サービング・セルは、それについて特定の目標セルへのハンドオーバ決定が行われた特定の通信セッションの結果を知らされる。ＵＥが１つのセルから別のセルにスイッチングする間に獲得されている、そして異なるサービング・セルを過ぎたＵＥメモリ内に保持される、それらの測定データは、その特定の目標セルへの追加ハンドオーバ決定に特に役立つ。
【００１１】
測定トリガ・セルは第１のサービング・セルでもよく、測定報告セルはその第１のサービング・セル内のホット・スポット・セルでもよい。別法として、測定トリガ・セルはホット・スポット・セルでもよく、測定報告セルは追加サービング・セルでもよい。さらに別法として、測定トリガ・セルは第１のサービング・セルでもよく、測定報告セルは追加サービング・セルでもよく、そのホット・スポット・セルは間にある中間サービング・セルである。
【００１２】
測定トリガ・セルおよび測定報告セルは、異なるタイプの無線アクセス技術、たとえばＬＴＥにおける測定トリガ・セルおよびＵＭＴＳにおける測定報告セル、またはその逆、を使用することができる。
【００１３】
セル識別子は、ネットワーク領域内で、特定のセル、およびさらにその特定のセルを操作する特定のｅＮＢを識別する。
【００１４】
一実施形態において、前記セル識別子は、前記サービング・セルの物理セル識別子（ＰＣＩ）を備える。
【００１５】
この実施形態は、測定データがＸ２インタフェースを介して交換されるときに、特に有利である。
【００１６】
一代替実施形態において、前記セル識別子は、前記サービング・セルのグローバル・セル識別子（ＧＣＩ）および前記サービング・セルの追跡区域識別子（Ｔｒａｃｋｉｎｇ  Ａｒｅａ  Ｉｄｅｎｔｉｆｉｅｒ）（ＴＡＩ）を備える。
【００１７】
ＧＣＩは、そのセルが属する私有地モバイル・ネットワーク（Ｐｒｉｖａｔｅ  Ｌａｎｄ  Ｍｏｂｉｌｅ  Ｎｅｔｗｏｒｋ：ＰＬＭＮ）識別、およびそのセルの追加セル識別から構成される。この実施形態は、測定データがＳ１インタフェースを介して交換されるときに、特に有利である。
【００１８】
一実施形態において、前記サービング・セルは、特定のモバイル通信サービスを前記特定のユーザ機器に提供し、前記追加サービング・セルが前記特定のユーザ機器で前記特定の通信サービスを引き継ぐ。
【００１９】
その特定の通信サービスは、たとえば音声、ビデオまたはデータ通信セッションを指しうる。追加サービング・セルによる特定の通信サービスの引継ぎは、追加サービング・セルが目標セルであるハンドオーバ手続き、または、追加サービング・セルがサービス再開のために用意された付加的目標セルである無線リンク故障の後のサービス再開手続きを指しうる。
【００２０】
別法として、ＵＥは、任意のセルがサービス再開のために用意されることなしに、たとえば無線リンク故障後に、特定の通信サービスを再開することができないことがある。新しい通信セッションは次に、構成された測定データを意図的に報告するためにセットアップされることになる。
【００２１】
一実施形態において、本方法はさらに、前記サービング・セル内で、
−  目標セルへのハンドオーバ条件が前記特定のユーザ機器について満たされていることを検出するステップと、
−  前記目標セルを起こりうるホット・スポットとして識別するステップと、
−  その場合、前記測定制御情報を送信するステップとを備える。
【００２２】
無線測定は、潜在的ホット・スポットとして識別されたセルへのハンドオーバ決定が特定のＵＥについて行われたときに、その特定のＵＥについてトリガされることができ、それによって無線測定を目標とされるＵＥのみに限定し、生じる信号負荷を大幅に減らす。
【００２３】
別法として、無線測定は、サービング・セルに入るまたはそこを出るすべてのＵＥについてデフォルト設定で構成されることができ、あるいは、たとえば報告されたＵＥ位置情報および／または計算された時限前進値に基づく特定の地理的区域について、追加基準が満たされるときに構成されることができる。
【００２４】
一実施形態において、前記測定データは、時間記録として編成される。
【００２５】
したがって、ＵＥがホット・スポット区域を横切っている間に、経時的にＵＥ無線環境を追跡することができる。
【００２６】
測定記録の時間細分性は、測定制御情報内で提供されることができる。
【００２７】
一実施形態において、前記測定制御情報は報告期間を備え、前記測定報告は前記報告期間の満了時に送信される。
【００２８】
その後に測定報告が送信されることになる期間は、測定制御情報内に供給される。
【００２９】
ＵＥは、測定データを報告する前にその期間が経過するのを待たないことがある。たとえば、ＵＥは無線リンク故障後に現在の通信セッションを再開することに失敗し、別のセルと新しい通信セッションを確立し、測定報告を直ちに送信する。
【００３０】
一実施形態において、本方法はさらに、ハンドオーバ決定アルゴリズムを自己調整するための前記測定データを使用するステップを備える。
【００３１】
測定トリガ・セルを操作する無線アクセス・ノードに転送して戻される測定データは、このアクセス・ノードによって、またはホット・スポット・セルへのハンドオーバ決定を最適化するための追加アクセス・ノードによって、たとえばホット・スポット・セルをブラック・リストに載せることによって、または、ハンドオーバ・マージンおよび／もしくは新しいセルが現在のサービング・セルよりもよく検出されなければならない期間はどのくらいかなどのホット・スポット・セルへの適切なハンドオーバ指標を自己調節することによって、使用される。
【００３２】
一実施形態において、前記測定データは現在のサービング・セルのおよび１つもしくは複数の隣接するセルの信号強度を備える。
【００３３】
信号強度の一例は、受信信号電力または受信信号振幅である。
【００３４】
一実施形態において、前記測定データは、現在のサービング・セルのおよび１つもしくは複数の隣接するセルの信号品質を備える。
【００３５】
信号品質の一例は、受信ビット誤り率である。
【００３６】
本発明はまた、モバイル通信システムの部分を形成するために動作可能なユーザ機器に関する。
【００３７】
本発明のさらなる一態様によれば、ユーザ機器は、
−  無線アクセス・ノードによって操作されるサービング・セル内で、前記無線アクセス・ノードから測定制御情報を受信し、それによって前記ユーザ機器が無線測定を実行するように構成されることと、
−  追加無線アクセス・ノードによって操作される追加サービング・セル内で、前記サービング・セルによって構成されるものとしての測定データおよび前記サービング・セルのセル識別子を備える前記追加無線アクセス・ノードへの測定報告を送信することとを行うようになされる。
【００３８】
本発明はまた、モバイル通信システムの部分を形成するために動作可能な無線アクセス・ノードに関する。
【００３９】
本発明のさらなる一態様によれば、無線アクセス・ノードは、
−  特定のユーザ機器にサービスするサービング・セルを操作することと、
−  追加サービング・セルによって構成されるものとしての測定データおよび前記追加サービング・セルのセル識別子を備える前記特定のユーザ機器からの測定報告を受信することと、
−  前記無線アクセス・ノードから前記追加サービング・セルを操作する追加無線アクセス・ノードに前記測定データを転送して戻すこととを行うようになされる。
【００４０】
本発明によるユーザ機器の実施形態および本発明による無線アクセス・ノードの実施形態は、本発明による方法の実施形態と対応する。
【００４１】
以下のような添付の図面とともに実施形態の以下の説明を参照することによって、本発明の前述のおよび他の目的および特徴がさらに明らかとなり、発明自体が最もよく理解されよう。
【図面の簡単な説明】
【００４２】
【図１Ａ】ホット・スポット区域を特徴付ける無線通達範囲の第１の使用事例を表す図である。
【図１Ｂ】ホット・スポット区域を特徴付ける無線通達範囲の第２の使用事例を表す図である。
【図２】測定報告の第１のメッセージ流れ図である。
【図３】測定報告の第２のメッセージ流れ図である。
【図４】測定報告の第３のメッセージ流れ図である。
【発明を実施するための形態】
【００４３】
図１Ａには、より大きな周囲のセル１（またはＡ）内のホット・スポット区域２を表す第１の使用事例を示す。ホット・スポット区域２は、セルＡの無線通達範囲内でオーバシューティングする別のセルＢの無線信号によってもたらされる。
【００４４】
モバイル端末ＵＥＸは、ホット・スポット区域２を通過し、位置ｂを介して位置ａから位置ａ’に移動する。位置ａおよびａ’で、セルＡからの無線信号は、セルＢからの無線信号よりも低い経路損失を被る。位置ｂで、セルＢからの無線信号は、セルＡからの無線信号よりも低い経路損失を被る。それぞれの経路損失の間の差がいくらかの構成されたハンドオーバ・マージンを超えることを条件とし、モバイル端末ＵＥＸはセルＡからセルＢに、そしてセルＢからすぐに戻してセルＡにハンドオーバすると見られる。
【００４５】
本発明の一目的は、最初のサービング・セルＡ内の通達範囲が、現在のトラフィック・セッションについての必要なスループットおよびサービスの品質（ＱｏＳ）を達成するのに十分である間に、モバイル端末ＵＥＸがセルＢにスイッチングすることを防ぐことである。
【００４６】
図１Ｂには、第１のセルＡおよび第２のセルＣの境界でオーバシューティングするセルＢの無線信号によってもたらされるホット・スポット区域２を表す第２の使用事例が示される。
【００４７】
モバイル端末ＵＥＸは、ホット・スポット区域２を通過し、位置ｂを介して位置ａから位置ｃに移動する。位置ａで、セルＡからの無線信号はセルＢおよびＣからの無線信号よりも低い経路損失を被る。位置ｂで、セルＢからの無線信号はセルＡおよびＣからの無線信号よりも低い経路損失を被る。位置ｃで、セルＣからの無線信号はセルＡおよびＢからの無線信号よりも低い経路損失を被る。それぞれの経路損失の間の差がいくらかの構成されたハンドオーバ・マージンを超えることを条件として、モバイル端末ＵＥＸはセルＡからセルＢに、すぐにそしてセルＢからセルＣにハンドオーバされる傾向がある。
【００４８】
本発明の追加の一目的は、中間セルＢを通過することなく、セルＣに直接モバイル端末ＵＥＸを転送することである。これは、セルＡまたはＢのいずれかからの信号経路損失が、現在のトラフィック・セッションの必要なスループットおよびＱｏＳを達成するのに十分なだけホット・スポット区域２内で低い場合に可能である。
【００４９】
どちらの目的も、モバイル端末ＵＥＸがホット・スポット区域を横切っている間にセル持続性のある無線測定をトリガすることによって、およびホット・スポット・セルへの追加ハンドオーバ決定を改善するためのそれらの測定データを使用することによって、達成される。
【００５０】
モバイル端末ＵＥＸとそれぞれセルＡ、ＢおよびＣを操作するｅＮＢ  ｅＮＢＡ、ｅＮＢＢおよびｅＮＢＣとの間のメッセージ流れ図が図２に示される。セルは明確なｅＮＢによって操作されるものとして示されるが、セルＡおよびＣなどの２つ以上のセルが同じｅＮＢによって操作されうることに留意されたい。
【００５１】
ある時点で、セルＡによって供されている、そして位置ａから位置ｂに移動しているモバイル端末ＵＥＸが、セルＢからのより強い信号（あるマージンを超える）を示すサービング・セルＡへのハンドオーバ事象ＨＯ＿ｅｖｅｎｔを報告する。その結果、ソースｅＮＢ  ｅＮＢＡは、セルＢへとモバイル端末ＵＥＸをハンドオフすることを決定する。
【００５２】
ソースｅＮＢ  ｅＮＢＡが、目標側でハンドオーバを用意するために必要な情報を渡す目標ｅＮＢ  ｅＮＢＢへのメッセージＨＯ＿ｒｅｑｕｅｓｔを発行する。
【００５３】
流入制御の後、目標ｅＮＢ  ｅＮＢＢは、目標セルＢへのハンドオーバを実行するためのＵＥデータを備える確認ＨＯ＿ｒｅｑｕｅｓｔ＿ａｃｋで応答する。
【００５４】
ソースｅＮＢ  ｅＮＢＡが、メッセージＲＲＣ＿ｃｏｎｎ＿ｒｅｃｏｎｆを生成することによって、目標セルＢへのハンドオーバを実行するようにモバイル端末ＵＥＸに指令する。
【００５５】
メッセージＲＲＣ＿ｃｏｎｎ＿ｒｅｃｏｎｆを受信した後、モバイル端末ＵＥＸは、目標ｅＮＢ  ｅＮＢＢへの同期化を実行し、コンテンションなしの手続きまたはコンテンションに基づく手続きに続いて、ランダム・アクセス・チャネル（ＲＡＣＨ）を介して目標セルＢにアクセスする。目標ｅＮＢ  ｅＮＢＢは、アップリンク・チャネル割当ておよび時限前進値で応答する。モバイル端末ＵＥＸは、メッセージＲＲＣ＿ｃｏｎｎ＿ｒｅｃｏｎｆ＿ｃｏｍｐｌｅｔｅを目標ｅＮＢ  ｅＮＢＢに送信してハンドオーバを確認する。
【００５６】
ハンドオーバ手続きは、ソースｅＮＢ  ｅＮＢＡから目標ｅＮＢ  ｅＮＢＢへとユーザ・トラフィック面をスイッチングするサービングゲートウェイで継続する。
【００５７】
メッセージＲＲＣ＿ｃｏｎｎ＿ｒｅｃｏｎｆはさらに、それによってモバイル端末ＵＥＸがセル持続性のある無線測定を実行するように構成される、測定制御情報ｍｅａｓ＿ｃｔｒｌ＿ｉｎｆｏを含む。測定制御情報は、測定識別子ｍｅａｓ＿ｉｄと２つの期間Ｔ１およびＴ２とを備える。
【００５８】
測定識別子は、測定データとそれらの測定を実行するように構成された特定のＵＥとの間の連想を可能にする。
【００５９】
期間Ｔ１は、無線測定が実行されることになる周期性を示し、そして、期間Ｔ２は、ＵＥが獲得された測定データを現在のサービング・セルに報告する報告周期を示す。
【００６０】
別法として、測定制御情報ｍｅａｓ＿ｃｔｒｌ＿ｉｎｆｏが、専用メッセージを介して別に送られることができる。
【００６１】
モバイル端末ＵＥＸは、ｅＮＢ  ｅＮＢＡから測定制御情報ｍｅａｓ＿ｃｔｒｌ＿ｉｎｆｏを受信したときに、測定期間Ｔ２を開始する。モバイル端末ＵＥＸはまず、測定トリガ・セルのＰＣＩ、現在はＰＣＩＡ、を保存する。モバイル端末ＵＥＸは、セルＡおよび次のセルＢによって供されている間に特にセルＡ、ＢおよびＣの信号強度を測定し、測定履歴内の最後のＴ１期間中に実行された無線測定を保存し（おそらく平均化および／または追加データ処理後に）、期間Ｔ２が満了するまで繰り返し、それによって測定データｍｅａｓ＿ｄａｔａを産出する。
【００６２】
Ｔ１の例示的な値は２００ミリ秒であり、Ｔ２の例示的な値は２秒であり、即ち、測定データｍｅａｓ＿ｄａｔａは２００ミリ秒周期ごとに１０の測定記録を備える。
【００６３】
タイマＴ２の満了時に、ＵＥＸは、コンパイル済みの測定データｍｅａｓ＿ｄａｔａ、測定識別子ｍｅａｓ＿ｉｄおよび測定トリガ・セルのセル識別子ＰＣＩＡを備える測定報告ｍｅａｓ＿ｒｅｐｏｒｔを構築する。測定報告ｍｅａｓ＿ｒｅｐｏｒｔは次に、現在のサービング・セルを操作するｅＮＢ、現在はｅＮＢＢ、に送信される。
【００６４】
ｅＮＢ  ｅＮＢＢは、セル識別子ＰＣＩＡによって識別されるセルを操作するものとしてｅＮＢ  ｅＮＢＡを識別する。さらに具体的には、ｅＮＢ  ｅＮＢＢは、セル識別子ＰＣＩＡからＸ２インタフェースを介してｅＮＢ  ｅＮＢＡに接続するトンネル・エンドポイント識別子を導出し（特定のＰＣＩと特定のトンネル・エンドポイント識別子の間の連想がｅＮＢ発見段階中に獲得される）、ｅＮＢ  ｅＮＢＡへのそう識別されたトンネルを介して測定データｍｅａｓ＿ｄａｔａおよび測定識別子ｍｅａｓ＿ｉｄを転送する（図２のメッセージｍｅａｓ＿ｔｒａｎｓｆｅｒを参照）。
【００６５】
したがって、ｅＮＢ  ｅＮＢＡは、モバイル端末ＵＥＸについて行われたハンドオーバ決定の結果を認識している。たとえば、ｅＮＢ  ｅＮＢＡは、セルＡからの信号強度がハンドオーバが行われた後もまだ十分であることを通知し、その結果、同様のハンドオーバ基準が満たされるときに、セルＡの通達範囲内で追加モバイル端末を保持することを決定することができる。
【００６６】
指示が、セル持続性のある無線測定が進行中であることを目標セルに知らせるために、目標セルに送信されることができる。この指示はメッセージＨＯ＿ｒｅｑｕｅｓｔの部分として送信されることができ、または、目標セルがその目標セル内での接続確立中にＵＥ自体によって知らされることができる。ＵＥは、測定トリガ・セルによって構成されるものとしての進行中のセル持続性のある無線測定に加えて、目標セルによって構成されるものとしての新しい測定制御情報（異なるハンドオーバ事象についてなど）を受け入れることになる。
【００６７】
図３には、モバイル端末ＵＥＸが無線リンク故障を検出し、したがって目標セルＢに接続することができない、代替シナリオを示す。セルＡ内には非常に限られたホット・スポットが存在しうるため、そしてセルＢからの信号強度は、モバイル端末ＵＥＸが高速で移動する場合に、急落することがあるため、このシナリオはむしろ妥当である。
【００６８】
このシナリオでは、もしあれば、付加的目標セル、現在はｅＮＢ  ｅＮＢＣによって操作されるセルＣ、がサービス再開のために用意されてある（図３のｅＮＢＡおよびｅＮＢＣの間の付加的ＨＯ＿ｒｅｑｕｅｓｔおよびＨＯ＿ｒｅｑｕｅｓｔ＿ａｃｋメッセージを参照）。
【００６９】
モバイル端末ＵＥＸは、セルＣとの通信セッションを再開しようとし、メッセージＲＲＣ＿ｃｏｎｎ＿ｒｅｃｏｎｆ＿ｃｏｍｐｌｅｔｅをｅＮＢ  ｅＮＢＣに送信する。
【００７０】
再び、報告期間Ｔ２の満了時に、モバイル端末ＵＥＸは、測定データｍｅａｓ＿ｄａｔａ、測定識別子ｍｅａｓ＿ｉｄおよび測定トリガ・セルのセル識別子ＰＣＩＡを現在のサービング・セルを操作するｅＮＢ、現在はｅＮＢＣ、に送信する。
【００７１】
ｅＮＢ  ｅＮＢＣは、セル識別子ＰＣＩＡによって識別されるセルを操作するものとしてｅＮＢ  ｅＮＢＡを識別し、測定データｍｅａｓ＿ｄａｔａおよび測定識別子ｍｅａｓ＿ｉｄをｅＮＢ  ｅＮＢＡに転送する（図３のｅＮＢＣおよびｅＮＢＡの間のメッセージｍｅａｓ＿ｔｒａｎｓｆｅｒを参照）。
【００７２】
図４には、サービング・セル、現在はセルＡ、が、モバイル端末ＵＥＸがセルＢに接続するときにそれが無線測定をトリガするためのホット・スポット・セル、現在はセルＢ、に測定制御情報ｍｅａｓ＿ｃｔｒｌ＿ｉｎｆｏを渡す、代替シナリオをさらに示す。測定制御情報ｍｅａｓ＿ｃｔｒｌ＿ｉｎｆｏは、メッセージＨＯ＿ｒｅｑｕｅｓｔの部分として送信されるが、それらは専用メッセージとして別に送信されることができる。
【００７３】
測定制御情報ｍｅａｓ＿ｃｔｒｌ＿ｉｎｆｏは、期間Ｔ１およびＴ２、ならびに測定識別子ｍｅａｓ＿ｉｄ１を備える。ｅＮＢ  ｅＮＢＢは、ｅＮＢ  ｅＮＢＡ、測定識別子ｍｅａｓ＿ｉｄ１、および、無線測定をトリガするために使用されることになる追加測定識別子ｍｅａｓ＿ｉｄ２の間の連想を保存する。
【００７４】
モバイル端末ＵＥＸからメッセージＲＲＣ＿ｃｏｎｎ＿ｒｅｃｏｎｆ＿ｃｏｍｐｌｅｔｅを受信したとき、ｅＮＢ  ｅＮＢＢは、期間Ｔ１およびＴ２と、追加メッセージ識別子ｍｅａｓ＿ｉｄ２とを備えるメッセージｍｅａｓ＿ｒｅｑｕｅｓｔを送信する。
【００７５】
モバイル端末ＵＥＸは、測定トリガ・セルのＰＣＩ、現在はＰＣＩＢ、を保存する。しばらくした後、モバイル端末ＵＥＸはセルＣへハンドオーバする。モバイル端末ＵＥＸは、セルＢおよび次のセルＣによって供されている間に、特にセルＡ、ＢおよびＣの信号強度を測定する。
【００７６】
報告期間Ｔ２の満了時に、モバイル端末ＵＥＸは、測定データｍｅａｓ＿ｄａｔａ、測定識別子ｍｅａｓ＿ｉｄ２、および測定トリガ・セルのセル識別子ＰＣＩＢを現在のサービング・セルを操作するｅＮＢ、現在はｅＮＢＣ、に報告する。
【００７７】
ｅＮＢ  ｅＮＢＣは、セル識別子ＰＣＩＢによって識別されるセルを操作するものとしてｅＮＢ  ｅＮＢＢを識別し、測定データｍｅａｓ＿ｄａｔａおよび測定識別子ｍｅａｓ＿ｉｄ２をｅＮＢ  ｅＮＢＢに転送する（図４のｅＮＢＣおよびｅＮＢＢの間のメッセージｍｅａｓ＿ｔｒａｎｓｆｅｒを参照）。
【００７８】
ｅＮＢ  ｅＮＢＢは、測定識別子ｍｅａｓ＿ｉｄ２および保存された連想からｅＮＢ  ｅＮＢＡを識別し、最初の測定識別子ｍｅａｓ＿ｉｄ１を検索し、測定データｍｅａｓ＿ｄａｔａおよび測定識別子ｍｅａｓ＿ｉｄ１をｅＮＢ  ｅＮＢＡに転送し（図４のｅＮＢＢおよびｅＮＢＡの間のメッセージｍｅａｓ＿ｔｒａｎｓｆｅｒを参照）、それによってｅＮＢ  ｅＮＢＡが特定のハンドオーバ決定をもつそれらの測定データにリンクできるようにする。
【００７９】
測定トリガ・セルは、測定制御情報ｍｅａｓ＿ｃｔｒｌ＿ｉｎｆｏ内にそのＧＣＩおよびＴＡＩを含みうる。ＵＥは、測定トリガ・セルのＰＣＩの代わりに、またはそれに加えて、測定トリガ・セルのＧＣＩおよびＴＡＩを測定報告セルに供給することができ、それによって測定報告セルがＳ１インタフェースを介して測定トリガ・セルに測定データｍｅａｓ＿ｄａｔａを転送できるようにする。
【００８０】
実施形態がＬＴＥ技術および表現を網羅的に参照して説明されたが、本発明は、３ＧＰＰ  ＵＭＴＳ、３ＧＰＰ２  ＣＤＭＡ２０００、またはＩＥＥＥ  ８０２．１６（ＷＩＭＡＸ）技術などのさらなるモバイル技術に同様に適用することが明らかであろう。
【００８１】
特許請求の範囲でも使用される用語「備える」は、その後に記載された手段に限定されるものとして解釈されるべきではないことに留意されたい。したがって、表現「手段ＡおよびＢを備えるデバイス」は、構成要素ＡおよびＢのみから成るデバイスに限定されるべきではない。それは、本発明に関して、デバイスの関連構成要素がＡおよびＢであることを意味する。
【００８２】
特許請求の範囲でも使用される用語「結合された」は、直接接続のみに限定されるものとして解釈されるべきではないことにもさらに留意されたい。したがって、表現「デバイスＢに結合されたデバイスＡ」の範囲は、デバイスＡの出力がデバイスＢの入力に直接接続された、および／またはその逆のデバイスまたはシステムに限定されるべきではない。それは、Ａの出力およびＢの入力の間に、ならびに／あるいはその逆に、他のデバイスまたは手段を含む経路でもよい経路が存在することを意味する。
【００８３】
本記述および図面は単に本発明の原理を説明する。したがって、本明細書に明示的に記述または示されていないが、本発明の原理を実施し、その趣旨および範囲に含まれる、さまざまな構成を当業者が考案しうるであろうことが理解されよう。さらに、本明細書に挙げられたすべての例は主に、本発明の原理および当技術分野を促進するために１人または複数の発明者によって寄与される概念を読者が理解するのを助けるための教育的目的のみを明示的に意図されており、かかる具体的に挙げられた例および条件に限定されないものとして解釈されるべきである。さらに、本発明の原理、態様、および実施形態、ならびにその具体的例を挙げる本明細書のすべての記述は、その相当物を包含するものである。
【００８４】
図に示すさまざまな要素の機能は、専用ハードウェアならびに適切なソフトウェアと結合したソフトウェアを実行する能力のあるハードウェアの使用を介して提供されうる。プロセッサによって提供されるとき、それらの機能は、単一の専用プロセッサによって、単一の共有プロセッサによって、または、そのうちのいくつかが共有されうる複数の個別プロセッサによって、提供されることができる。さらに、プロセッサは、ソフトウェアを実行する能力のあるハードウェアのみを排他的に指すものとして解釈されるべきではなく、黙示的に、デジタル信号プロセッサ（ＤＳＰ）ハードウェア、ネットワーク・プロセッサ、特定用途向け集積回路（ＡＳＩＣ）、書替え可能ゲート・アレイ（ＦＰＧＡ）などを含みうるがこれらに限定さない。読取り専用メモリ（ＲＯＭ）、ランダム・アクセス・メモリ（ＲＡＭ）、および不揮発性記憶装置などの、従来のおよび／またはカスタムの他のハードウェアもまた含まれうる。
【図２】
0005538540.tif 000002
【図３】
0005538540.tif 000003
【図４】
0005538540.tif 000004
【図１Ａ】
0005538540.tif 000005
【図１Ｂ】
0005538540.tif 000006